(57)【特許請求の範囲】
【請求項１】
地上波デジタルテレビ放送波を一般家庭へ中継する中継局の送信機制御システムにおいて、
前記地上波デジタルテレビ放送波を送信する放送局は、
放送と非放送の別を２値信号で示す放送/非放送フラグをＴＳパケットのヘッダ部から抽出する放送/非放送フラグ抽出部と、
前記放送/非放送フラグ抽出部によって抽出された放送/非放送フラグと、送信機のオンとオフの別を２値信号で前記中継局毎に示す指定送信機ON/OFF信号とを論理演算する論理回路と、
前記論理演算された各中継局の送信機ON/OFFフラグを中継局識別ＩＤと共に順次ＴＭＣＣ情報のリザーブビットに挿入する符号化装置と、
前記送信機ON/OFFフラグの組み込まれたＴＭＣＣ情報をＴＳパケットに組み込む混合器と、
前記混合器からのＴＳパケットを各中継局に分配する分配器を備え、
前記地上波デジタルテレビ放送波を受信する各中継局は、
受信されたＴＳパケットのＴＭＣＣ情報を抽出するＴＭＣＣ抽出部と、
前記ＴＭＣＣ抽出部にて抽出されたＴＭＣＣ情報のリザーブビットから前記送信機ON/OFFフラグを取り出し、前記リザーブビットの前記中継局識別ＩＤが前記送信機のＩＤと一致するとき、前記送信機ON/OFFフラグに従い起動命令または停止命令を出力する符合判別部と、
前記起動命令または停止命令に従い受信されたＴＳパケットの送信を開始または終了する送信機を備え、
前記放送/非放送フラグが放送を示しているときにのみ前記指定送信機ON/OFF信号により中継局の送信機をオン可能としたことを特徴とする送信機制御システム。
【請求項２】
前記符号化装置は、前記リザーブビットの１ビットに前記送信機ON/OFFフラグを挿入し、前記リザーブビットの残余のビットに前記中継局識別ＩＤを挿入することを特徴とする請求項１記載の送信機制御システム。
【発明の詳細な説明】
【技術分野】
【０００１】
本発明は、放送中継局送信機制御システム、特に地上波デジタルテレビ放送波を一般家庭等へ中継する中継局の送信機制御システムに関する。
【背景技術】
【０００２】
地上波アナログテレビ放送波を一般家庭等へ中継する中継局送信機の起動および停止制御を行う方法としては、映像同期信号の有無をモニターし、「同期信号あり」で送信機を起動させ、「同期信号なし」で送信機を停止させるという方法が一般に用いられている。しかし、地上波デジタル放送においては映像同期信号が存在しないため、上述の方式に替わる中継局送信機の起動、停止制御方法が必要となる。
【０００３】
この種の中継局送信機等の機器を監視および制御する方法としてはＴＳ（Transport Stream）パケット内のＡＣ（Aux Channel）を利用する方法が知られている（例えば、特許文献１参照）。この技術は、ＴＳパケットにおけるＴＭＣＣ（Transmission and Multiplexing Configuration Control）格納領域に、各中継段を一斉に制御・監視するための制御・監視情報の伝送に利用することができるＡＣ１領域や、任意の中継段を個別に制御・監視するための制御・監視情報の伝送に利用することができるＣＣ１領域，ＣＣ２領域を規定する。そして、制御情報としては各中継局の放送送信機に対するオン・オフ制御、系統切り替え、遅延時間制御等を想定し、監視情報としてはアラーム情報等を想定している。
【０００４】
【特許文献１】特開2004-165753号公報（第６頁−第９頁、図１）
【発明の開示】
【発明が解決しようとする課題】
【０００５】
しかしながら、上述した従来技術では、中継局とは、ＳＴＬ（Studio to Transmitter Link）／ＴＴＬ（Transmitter to Transmitter Link）回線で接続された複数の局間伝送により多段中継を行うのであって、親局からの地上波デジタルテレビ放送波を一般家庭等へ直接的に中継（放映）する中継局を予定していないと考えられる。このような中継の故に、ＴＳパケット−ＳＴＬ／ＴＴＬ伝送パケット相互間のフォーマット構造の検討が必要となり、多段中継における制御・監視情報の一斉伝送の仕様が争点となっている。
【０００６】
すなわち、中継局内では、受信したＳＴＬ／ＴＴＬ伝送パケットを一度放送ＴＳパケットの形式に変換し、制御・監視情報を一度取り出さなくてはならず、後段の中継局へ制御・監視情報を送る場合には、放送ＴＳパケットをＳＴＬ／ＴＴＬ伝送パケットに変換する際に、再度制御・監視情報を重畳する処理による遅延時間の蓄積が問題視される。特許文献１記載の技術は、この問題点を解消しようとするものである。
【０００７】
従って、地上波デジタル放送において、上述の地上波アナログテレビ放送における映像同期信号を利用した中継局の起動および停止方法に替わる、複数の中継局送信機の起動・停止制御の具体的方法等はまだ確立していない。
【０００８】
また、特許文献１記載の技術では、個別に制御・監視すべき中継局を指定するための領域は特に設けられていないので、個別に制御・監視のためのＣＣ１領域，ＣＣ２領域は特定の中継局とリンクしていると考えられ、これでは多数の中継局を個別に制御・監視するのに不便であるという問題点もある。
【０００９】
そこで、本発明の目的は、専用の制御回線を用いることなく複数の中継局送信機の一斉または個別の自動起動および停止制御を行うことのできる送信機制御システムを提供することにある。
【課題を解決するための手段】
【００１０】
本発明の送信機制御システムは、地上波デジタルテレビ放送波を一般家庭へ中継する中継局の送信機制御システムにおいて、地上波デジタルテレビ放送波を送信する放送局は、放送と非放送の別を２値信号で示す放送/非放送フラグをＴＳパケットのヘッダ部から抽出する放送/非放送フラグ抽出部（図１の11）と、放送/非放送フラグ抽出部によって抽出された放送/非放送フラグと、送信機のオンとオフの別を２値信号で中継局毎に示す指定送信機ON/OFF信号とを論理演算する論理回路と、論理演算された各中継局の送信機ON/OFFフラグを中継局識別ＩＤと共に順次ＴＭＣＣ情報のリザーブビットに挿入する符号化装置（図１の12）と、送信機ON/OFFフラグの組み込まれたＴＭＣＣ情報をＴＳパケットに組み込む混合器（図１の13）と、混合器からのＴＳパケットを各中継局に分配する分配器（図１の15）を備え、地上波デジタルテレビ放送波を受信する各中継局は、受信されたＴＳパケットのＴＭＣＣ情報を抽出するＴＭＣＣ抽出部（図１の22）と、ＴＭＣＣ抽出部にて抽出されたＴＭＣＣ情報のリザーブビットから送信機ON/OFFフラグを取り出し、リザーブビットの前記中継局識別ＩＤが前記送信機のＩＤと一致するとき、送信機ON/OFFフラグに従い起動命令または停止命令を出力する符合判別部（図１の23）と、起動命令または停止命令に従い受信されたＴＳパケットの送信を開始または終了する送信機（図１の25）を備え、放送/非放送フラグが放送を示しているときにのみ指定送信機ON/OFF信号により中継局の送信機をオン可能としたことを特徴とする。
【発明の効果】
【００１１】
本発明によれば、ＴＭＣＣ情報のリザーブビットに、各中継局の送信機に対する送信機ON/OFFフラグと中継局識別ＩＤとを挿入して各中継局へＴＳパケットを送信し、中継局では受信したＴＳパケットからＴＭＣＣ情報を抽出して、自己の送信機が中継局識別ＩＤと一致するときは送信機ON/OFFフラグにより送信機の起動、停止制御をすることとしたため、地上波デジタルテレビ放送波を一般家庭等へ中継（放映）する多数の中継局の送信機の起動、停止制御を専用制御回線を用いることなく行うことができるという効果を得ることができる。
【発明を実施するための最良の形態】
【００１２】
地上波デジタルテレビ放送において各中継局に伝送されるＴＳパケットにはシステムの識別，階層構成，伝送パラメータなどを伝送するためのＴＭＣＣ情報が含まれている。２０４ビットで構成されるＴＭＣＣ情報には拡張用に１５ビットのリザーブビットが存在する。この拡張用の１５ビットを利用し、中継局送信機の起動信号と停止信号を伝送することで中継局送信機の制御を行う。
【００１３】
本発明の送信機制御システムは、地上波デジタル放送中継局の送信機の制御信号をＴＳパケット内のＴＭＣＣ情報に割り当てることにより、専用の制御回線を用いることなく複数の中継局送信機の起動および停止制御を行う。更に、ＴＳパケットヘッダ内の放送/非放送フラグ（broadcasting flag）を利用し、中継局送信機の一斉自動起動/停止を可能とすることで、地上波アナログ放送における映像同期信号を利用した複数中継局の起動および停止方法に替わる地上波デジタル放送中継局の送信機制御システムを提供する。以下、本発明の実施例について図面を参照しながら説明する。
【実施例】
【００１４】
２０４ビットで構成されるＴＭＣＣ情報には、図２に示すように、拡張用に１５ビットのリザーブビットが存在する。本発明では、この拡張用の１５ビットを利用し、中継局送信機の起動/停止制御信号および中継局識別ＩＤを伝送することで中継局送信機の制御を行う。
【００１５】
更に、ＴＳパケットヘッダのＰＩＤ（Personal Identity Number）部に存在するシステム管理記述子の放送/非放送フラグ（broadcasting flag）を抽出し、各中継局のON/OFF制御信号と絡めることで、中継局の自動起動/停止を行う。
【００１６】
図１は本発明の送信機制御システムの一実施例を示すブロック図である。この送信機制御システムは、放送/非放送フラグ抽出部11，符号化装置12，混合器13，ＱＡＭ変調器14および分配器15を備えて地上波デジタルテレビ放送波を送信する放送局10と、それぞれが放送局10からの地上波デジタルテレビ放送波を受信して一般家庭等へ直接的に中継（放映）する、ＱＡＭ復調器21，ＴＭＣＣ抽出部22，符合判別部23，ＯＦＤＭ変調器24および送信機25多数の中継局20とで構成されている。
【００１７】
放送局10の放送/非放送フラグ抽出部11はＴＳパケットヘッダのＰＩＤ部より放送/非放送フラグを抽出する。符号化装置12は各中継局の送信機ON/OFFフラグを中継局識別ＩＤと共に順次ＴＭＣＣ情報のリザーブビットに挿入する。送信機ON/OFFフラグは、放送/非放送フラグ抽出部11によって抽出された放送/非放送フラグと、中継局毎に指定された送信機ON/OFF信号とが論理和されたものである。
【００１８】
混合器13は中継局送信機ON/OFFフラグの組み込まれたＴＭＣＣ情報をＴＳパケットに組み込む。ＱＡＭ変調器14は各中継局20にＴＳパケットを送信するためにＱＡＭ（Quadrature Amplitude Modulation）変調を行う。分配器15はＱＡＭ変調器14にて変調されたＴＳ信号を各中継局20に分配する。
【００１９】
各中継局20のＱＡＭ復調器21はＱＡＭ変調器14にて変調されたＴＳ信号を復調する。ＴＭＣＣ抽出部22は復調されたＴＳパケットのＴＭＣＣ情報を抽出する。符合判別部23はＴＭＣＣ抽出部22にて抽出されたＴＭＣＣ情報のリザーブビットから送信機ON/OFFフラグを取り出し、リザーブビットの中継局識別ＩＤが送信機25のＩＤと一致するとき、送信機ON/OFFフラグに従い送信機25に対し起動命令または停止命令を出力する。
【００２０】
ＯＦＤＭ変調器24は復調されたＴＳパケットに対してＯＦＤＭ（Orthogonal Frequncy Division Multiplexing）変調を行い、送信機25は起動命令または停止命令に従いＯＦＤＭ変調されたＴＳパケットの送信（放映）を開始または終了する。
【００２１】
次に、具体的な数値を用いて本送信機制御システムの動作について説明する。ＴＭＣＣ情報内の１５ビットのリザーブビットへのビットの割り当てとして、１ビット目を送信機のON/OFFフラグとし、残り１４ビットを中継局識別ＩＤ番号とする。この場合、１４ビットの中継局識別ＩＤ番号により最大で２の１４乗、すなわち16,384 局の中継局送信機制御が可能となる。送信機ON/OFFフラグとして、ONには０、OFFには１を割り当てる。また、各中継局には他の中継局と重複しない固有の中継局識別ＩＤを予め割り当てておく。
【００２２】
図２において、放送/非放送フラグ抽出部11にて、ＴＳパケットヘッダのＰＩＤ部に存在するシステム管理記述子の放送/非放送フラグを抽出する。放送/非放送フラグは０で放送、１で非放送とする。抽出された放送/非放送フラグと各中継局の送信機ON/OFF信号は論理和され、符号化装置12へ送られる。
【００２３】
ここで、各中継局の送信機ON/OFF信号は０でON、１でOFFと定義すると、論理和をとることで、放送/非放送フラグが０（放送）となると中継局の送信機ON/OFF信号が０（ON）である中継局全てを起動することができ、放送/非放送フラグが１（非放送）となると中継局の送信機ON/OFF信号に関わらず全ての中継局をOFFすることができる。
【００２４】
符号化装置12では制御を行う各中継局の送信機ON/OFFフラグと中継局識別ＩＤとをＴＭＣＣ情報内のリザーブビットへ順次挿入する。挿入されたＴＭＣＣ情報は混合器13によってＴＳパケット内に組み込まれる。このとき、例えば、ＩＤ１の中継局送信機を起動し、ＩＤ２の送信機を停止する場合には、先ずＴＭＣＣ情報内リザーブビットへ送信機制御信号として000000000000001が挿入されたものがＴＳパケットに組み込まれ伝送され、続いて100000000000010が挿入されたものが次のＴＳパケットに組み込まれ伝送される。
【００２５】
ＴＳパケットはＱＡＭ変調器14によりＱＡＭ変調され、分配器15を通して各中継局へ伝送される。各中継局では、ＱＡＭ復調器21により復調されたＴＳパケットからＴＭＣＣ抽出部22によりＴＭＣＣ情報を抽出する。符合判別部23はＴＭＣＣ抽出部22により抽出されたＴＭＣＣ情報からリザーブビットを取り出し、中継局識別ＩＤと送信機ON/OFFフラグを判別する。
【００２６】
そして、符合判別部23に予め設定されている自局の中継局識別ＩＤとＴＭＣＣ情報として伝送されてきた中継局識別ＩＤを比較し、一致する場合には、送信機ON/OFFフラグが０ならば送信機25に対し起動命令を、１ならば停止命令を出力する。
【図面の簡単な説明】
【００２７】
【図１】本発明の送信機制御システムの一実施例を示すブロック図
【図２】本発明で採用するＱＡＭ変調器情報の拡張用リザーブビットの内容を示す図
【符号の説明】
【００２８】
10      放送局
11      放送/非放送フラグ抽出部
12      符号化装置
13      混合器
14      ＱＡＭ変調器
15      分配器
20      中継局
21      ＱＡＭ復調器
22      ＱＡＭ抽出部
23      符号判別部
24      ＯＦＤＭ変調器
25      送信機
【図１】
0004502922.tif 000002
【図２】
0004502922.tif 000003